(57)【要約】【課題】映像機器を外部モニタに接続したときに、タッチパネル式の表示装置をタッチパッドとして機能させることにより操作性等を向上させる。【解決手段】映像信号を出力する外部接続端子１１と、タッチパネル式ＬＣＤパネル９とを備え、ケーブル接続検出回路１３により外部接続端子１１へのＡＶケーブルの接続状態をチェックし、外部モニタと接続されていない場合、タッチパネル式ＬＣＤパネル９をタッチパネルとして機能させるタッチパネルモードで動作し、外部モニタと接続されている場合、タッチパネル式ＬＣＤパネル９をタッチパッドモードで動作する。【選択図】図１
2009140471.tif 000002
【特許請求の範囲】
【請求項１】
タッチパネル式の表示装置と、
外部モニタと接続するための接続手段と、
前記接続手段を介して外部モニタが接続されているか否かを判定する判定手段と、
前記判定手段によって前記外部モニタが接続されていると判定した場合、前記外部モニタにポインタを表示させ、該ポインタの表示位置の移動を指示するタッチパッドとして前記表示装置を機能させるよう制御する制御手段とを有することを特徴とする映像機器。
【請求項２】
前記制御手段は、前記表示装置をタッチパッドとして機能させる際は、前記表示装置上で指示された移動量と、前記ポインタの表示位置の移動量とは一致しないように制御することを特徴とする請求項１に記載の映像機器。
【請求項３】
前記制御手段は、前記表示装置をタッチパッドとして機能させる際は、前記表示装置上で指示された移動量と前記表示装置の大きさとの比率と、前記ポインタの表示位置の移動量と前記外部モニタの表示範囲の大きさとの比率とは一致しないように制御することを特徴とする請求項１又は２に記載の映像機器。
【請求項４】
前記制御手段は、前記表示装置をタッチパネルとして機能させる際は、前記表示装置へ接触した位置を画面上への入力位置として認識するよう制御することを特徴とする請求項１〜３のいずれか１項に記載の映像機器。
【請求項５】
前記制御手段は、前記表示装置をタッチパネルとして機能させるときは、該表示装置に操作アイコンを表示し、タッチパッドとして機能させるときは、該表示装置に操作アイコンを表示しないように制御することを特徴とする請求項１〜４のいずれか１項に記載の映像機器。
【請求項６】
前記制御手段によるタッチパネルとタッチパッドとの切り替えは、その切り替えを許可する設定がなされているときだけ行われることを特徴とする請求項１〜５のいずれか１項に記載の映像機器。
【請求項７】
前記表示装置をタッチパッドとして機能させるときは、該表示装置のバックライトを消灯することを特徴とする請求項１〜６のいずれか１項に記載の映像機器。
【請求項８】
タッチパネル式の表示装置と、外部モニタと接続するための接続手段とを備えた映像機器の制御方法であって、
前記接続手段を介して外部モニタが接続されているか否かを判定する判定ステップと、
前記判定ステップによって前記外部モニタが接続されていると判定した場合、前記外部モニタにポインタを表示させ、該ポインタの表示位置の移動を指示するタッチパッドとして前記表示装置を機能させるよう制御する制御ステップとを有することを特徴とする映像機器の制御方法。
【請求項９】
タッチパネル式の表示装置と、外部モニタと接続するための接続手段とを備えたコンピュータを、
前記接続手段を介して外部モニタが接続されているか否かを判定する判定手段、
前記判定手段によって前記外部モニタが接続されていると判定した場合、前記外部モニタにポインタを表示させ、該ポインタの表示位置の移動を指示するタッチパッドとして前記表示装置を機能させるよう制御する制御手段として機能させるためのプログラム。
【請求項１０】
タッチパネル式の表示装置と、外部モニタと接続するための接続手段とを備えたコンピュータを、
前記接続手段を介して外部モニタが接続されているか否かを判定する判定手段、
前記判定手段によって前記外部モニタが接続されていると判定した場合、前記外部モニタにポインタを表示させ、該ポインタの表示位置の移動を指示するタッチパッドとして前記表示装置を機能させるよう制御する制御手段として機能させるためのプログラムを記録したコンピュータ読み取り可能な記録媒体。
【請求項１１】
タッチパネル式の表示装置と、
外部モニタと接続して映像信号を出力するための接続端子と、
前記接続端子にケーブルが接続されたことを検出する検出手段と、
前記検出手段によりケーブルの接続を検出した場合、前記表示装置をタッチパッドとして機能させる制御手段とを有することを特徴とする映像機器。
【請求項１２】
タッチパネル式の表示装置と、外部モニタと接続して映像信号を出力するための接続端子とを備えた映像機器の制御方法であって、
前記接続端子にケーブルが接続されたことを検出する検出ステップと、
前記検出ステップによりケーブルの接続を検出した場合、前記表示装置をタッチパッドとして機能させる制御ステップとを有することを特徴とする映像機器の制御方法。
【請求項１３】
タッチパネル式の表示装置と、外部モニタと接続して映像信号を出力するための接続端子とを備えたコンピュータを、
前記接続端子にケーブルが接続されたことを検出する検出手段、
前記検出ステップによりケーブルの接続を検出した場合、前記表示装置をタッチパッドとして機能させる制御手段として機能させるためのプログラム。
【請求項１４】
タッチパネル式の表示装置と、外部モニタと接続して映像信号を出力するための接続端子とを備えたコンピュータを、
前記接続端子にケーブルが接続されたことを検出する検出手段、
前記検出ステップによりケーブルの接続を検出した場合、前記表示装置をタッチパッドとして機能させる制御手段として機能させるためのプログラムを記録したコンピュータ読み取り可能な記録媒体。
【請求項１５】
タッチパネル式の表示装置と、
外部モニタと接続するための接続手段と、
前記接続手段を介して外部モニタが接続されているか否かを判定する判定手段と、
前記判定手段によって前記外部モニタが接続されていると判定した場合、タッチパッドとして前記表示装置を機能させるよう制御する制御手段とを有することを特徴とする電子機器。
【請求項１６】
タッチパネル式の表示装置と、外部モニタと接続するための接続手段とを備えた電子機器の制御方法であって、
前記接続手段を介して外部モニタが接続されているか否かを判定する判定ステップと、
前記判定ステップによって前記外部モニタが接続されていると判定した場合、タッチパッドとして前記表示装置を機能させるよう制御する制御ステップとを有することを特徴とする電子機器の制御方法。
【請求項１７】
タッチパネル式の表示装置と、外部モニタと接続するための接続手段とを備えたコンピュータを、
前記接続手段を介して外部モニタが接続されているか否かを判定する判定手段、
前記判定手段によって前記外部モニタが接続されていると判定した場合、タッチパッドとして前記表示装置を機能させるよう制御する制御手段として機能させるためのプログラム。
【請求項１８】
タッチパネル式の表示装置と、外部モニタと接続するための接続手段とを備えたコンピュータを、
前記接続手段を介して外部モニタが接続されているか否かを判定する判定手段、
前記判定手段によって前記外部モニタが接続されていると判定した場合、タッチパッドとして前記表示装置を機能させるよう制御する制御手段として機能させるためのプログラムを記録したコンピュータ読み取り可能な記録媒体。
【発明の詳細な説明】
【技術分野】
【０００１】
本発明は、外部モニタと接続するための接続手段と、タッチパネル式の表示装置とを備えた映像機器、電子機器、それらの制御方法、プログラム及びコンピュータ読み取り可能な記録媒体に関する。
【背景技術】
【０００２】
近年、ビデオカメラ等の映像機器を操作するためのインターフェースとして、タッチパネルが利用されている。タッチパネルは、指や専用のペンで画面に触れることで映像機器の操作を行うための装置であり、指等が触れた位置を検知して画面上の位置を指定し、映像機器に指示を与えて制御するインターフェースとなる技術である。
【０００３】
画面への接触の感知には、感圧式と静電式の２通りがあり、前者は圧力の変化を感知するものであり、後者は静電気による電気信号を感知するものである。映像機器においては、タッチパネル上に記録や再生を司るスイッチ類を配置し、タッチパネル上の接触位置の絶対座標を検出することで、スイッチ操作の情報に変換して動作している。
【０００４】
一方、操作面上の移動量を相対的な座標に変換して操作する技術として、タッチパッドがある。タッチパッドは、静電気による電気信号を感知することで操作するポインティングデバイスであり、画面に表示されたポインタを移動させるものである。低コストで実装容積が小さいこと、トラックボール等のメカニカルな機構が不要で、塵埃等の影響による故障を起こしにくいこと等から、特にノート型パソコン用のポインティングデバイスとして広く採用されている。
【０００５】
例えば特許文献１には、タッチパッドを用い、表示画面に対するカーソルの移動操作と手書き入力操作とを適宜切り換えて行うことが開示されている。また、特許文献２には、タッチパッドを搭載したデータ処理装置において、相対座標モードと絶対座標モードを切り替えることが開示されている。
【０００６】
【特許文献１】特開２０００−１３７５７１号公報
【特許文献２】特開２００１−１１７７１３号公報
【発明の開示】
【発明が解決しようとする課題】
【０００７】
タッチパネルを利用することにより、スイッチを増やすことなく、様々な操作を単一のインターフェースで実現できるというメリットがある一方、絶対座標を取得して操作を行う特性上、以下のような課題がある。
第一に、タッチパネルで操作をするためには操作アイコンを表示しなければならないため、操作アイコンの大きさや配置を優先した画面構成にしなければならないことである。そのため、画面構成が制限されやすく、操作アイコン以外の表示領域を確保しにくいという課題がある。
第二に、細かい操作をしにくいことである。タッチパネルでは、絶対座標を用いた操作を行うため、上下左右方向への一定距離の移動や、画面の切り替えのような機械的な操作は容易である。しかしながら、微調整を行いたい場合や、状況に応じて移動量や移動速度を変化させた操作を行いたい場合等は、直感的な操作を実現しにくいという課題がある。
第三に、タッチパネルを見なければ操作できないことである。例えば映像機器を外部モニタ等に接続した状態で、外部モニタにタッチパネルと同じ映像や操作アイコンが表示されている場合であっても、タッチパネルを見ながら操作しなければならないため、操作が煩雑になるという課題がある。
【０００８】
本発明は上記のような点に鑑みてなされたものであり、映像機器を外部モニタに接続したときに、タッチパネル式の表示装置をタッチパッドとして機能させることにより、上述した課題を解決することを目的とする。
【課題を解決するための手段】
【０００９】
本発明の映像機器は、タッチパネル式の表示装置と、外部モニタと接続するための接続手段と、前記接続手段を介して外部モニタが接続されているか否かを判定する判定手段と、前記判定手段によって前記外部モニタが接続されていると判定した場合、前記外部モニタにポインタを表示させ、該ポインタの表示位置の移動を指示するタッチパッドとして前記表示装置を機能させるよう制御する制御手段とを有することを特徴とする。
本発明の映像機器の制御方法は、タッチパネル式の表示装置と、外部モニタと接続するための接続手段とを備えた映像機器の制御方法であって、前記接続手段を介して外部モニタが接続されているか否かを判定する判定ステップと、前記判定ステップによって前記外部モニタが接続されていると判定した場合、前記外部モニタにポインタを表示させ、該ポインタの表示位置の移動を指示するタッチパッドとして前記表示装置を機能させるよう制御する制御ステップとを有することを特徴とする。
本発明のプログラムは、タッチパネル式の表示装置と、外部モニタと接続するための接続手段とを備えたコンピュータを、前記接続手段を介して外部モニタが接続されているか否かを判定する判定手段、前記判定手段によって前記外部モニタが接続されていると判定した場合、前記外部モニタにポインタを表示させ、該ポインタの表示位置の移動を指示するタッチパッドとして前記表示装置を機能させるよう制御する制御手段として機能させる。
本発明の記録媒体は、タッチパネル式の表示装置と、外部モニタと接続するための接続手段とを備えたコンピュータを、前記接続手段を介して外部モニタが接続されているか否かを判定する判定手段、前記判定手段によって前記外部モニタが接続されていると判定した場合、前記外部モニタにポインタを表示させ、該ポインタの表示位置の移動を指示するタッチパッドとして前記表示装置を機能させるよう制御する制御手段として機能させるためのプログラムを記録する。
本発明の別の映像機器は、タッチパネル式の表示装置と、外部モニタと接続して映像信号を出力するための接続端子と、前記接続端子にケーブルが接続されたことを検出する検出手段と、前記検出手段によりケーブルの接続を検出した場合、前記表示装置をタッチパッドとして機能させる制御手段とを有することを特徴とする。
本発明の別の映像機器の制御方法は、タッチパネル式の表示装置と、外部モニタと接続して映像信号を出力するための接続端子とを備えた映像機器の制御方法であって、前記接続端子にケーブルが接続されたことを検出する検出ステップと、前記検出ステップによりケーブルの接続を検出した場合、前記表示装置をタッチパッドとして機能させる制御ステップとを有することを特徴とする。
本発明の別のプログラムは、タッチパネル式の表示装置と、外部モニタと接続して映像信号を出力するための接続端子とを備えたコンピュータを、前記接続端子にケーブルが接続されたことを検出する検出手段、前記検出ステップによりケーブルの接続を検出した場合、前記表示装置をタッチパッドとして機能させる制御手段として機能させる。
本発明の別の記録媒体は、タッチパネル式の表示装置と、外部モニタと接続して映像信号を出力するための接続端子とを備えたコンピュータを、前記接続端子にケーブルが接続されたことを検出する検出手段、前記検出ステップによりケーブルの接続を検出した場合、前記表示装置をタッチパッドとして機能させる制御手段として機能させるためのプログラムを記録する。
本発明の電子機器は、タッチパネル式の表示装置と、外部モニタと接続するための接続手段と、前記接続手段を介して外部モニタが接続されているか否かを判定する判定手段と、前記判定手段によって前記外部モニタが接続されていると判定した場合、タッチパッドとして前記表示装置を機能させるよう制御する制御手段とを有することを特徴とする。
本発明の電子機器の制御方法は、タッチパネル式の表示装置と、外部モニタと接続するための接続手段とを備えた電子機器の制御方法であって、前記接続手段を介して外部モニタが接続されているか否かを判定する判定ステップと、前記判定ステップによって前記外部モニタが接続されていると判定した場合、タッチパッドとして前記表示装置を機能させるよう制御する制御ステップとを有することを特徴とする。
本発明の別のプログラムは、タッチパネル式の表示装置と、外部モニタと接続するための接続手段とを備えたコンピュータを、前記接続手段を介して外部モニタが接続されているか否かを判定する判定手段、前記判定手段によって前記外部モニタが接続されていると判定した場合、タッチパッドとして前記表示装置を機能させるよう制御する制御手段として機能させる。
本発明の別の記録媒体は、タッチパネル式の表示装置と、外部モニタと接続するための接続手段とを備えたコンピュータを、前記接続手段を介して外部モニタが接続されているか否かを判定する判定手段、前記判定手段によって前記外部モニタが接続されていると判定した場合、タッチパッドとして前記表示装置を機能させるよう制御する制御手段として機能させるためのプログラムを記録する。
【発明の効果】
【００１０】
本発明によれば、映像機器を外部モニタに接続したときに、タッチパネル式の表示装置をタッチパッドとして機能させることにより、外部モニタを見ながら、外部モニタに表示された映像に対する操作を映像機器の表示装置を用いて容易に行うことができる。
【発明を実施するための最良の形態】
【００１１】
以下、添付図面を参照して、本発明の好適な実施形態について説明する。
（第１の実施形態）
図１は、本発明を適用した実施形態に係る映像機器、具体的にはデジタルビデオカメラの構成例を示すブロック図である。撮像部１は、光学系レンズ、ＣＣＤ等の撮像素子、オートフォーカス機構、ズーム機構等により構成される。撮像部１では、カメラ系制御部３の指示に従い、被写界に対して焦点や光量等を調整し、レンズを通して結像された被写界の光学像を映像信号に変換し、カメラ信号処理部２に送出する。
【００１２】
カメラ信号処理部２は、カメラ系制御部３の指示に従い、撮像部１から送出される映像信号に所定の信号処理を施して、記録系信号処理部６に送出する。
【００１３】
カメラ系制御部３は、マイクロコンピュータ等により構成され、システム制御部１４、操作部１２の指示等によりカメラ系全体を制御する。
【００１４】
信号処理部５は、記録系信号処理部６及び再生系信号処理部７を含んで構成され、システム制御部１４の指示により、様々な記録・再生信号処理を行う。記録系信号処理部６は、カメラ信号処理部２から送出される信号に対して、所定の信号処理を施してＶＴＲブロック４に送出する。再生系信号処理部７は、ＶＴＲブロック４から再生された信号に所定の処理を施し、それぞれ画像変換部１０、スピーカ８に送出する。更に、システム制御部１４から送られる文字情報、印刷範囲枠表示情報を映像信号にミックスし、タッチパネル式ＬＣＤパネル９に送出する。
【００１５】
ＶＴＲブロック４は、メカ部、メカ駆動部、マイクロコンピュータを中心とするメカ・サーボ制御部等により構成され、システム制御部１４の指示に従って、記録媒体への記録・再生動作を行う。
【００１６】
操作部１２の一部は、カメラ系に関する各種スイッチ、ダイヤル（ＡＦオン／オフ、ＡＥオート／ロック、プログラムＡＥ、ズーム等）類により構成され、操作者からの指示をシステム制御部１４を介してカメラ系制御部３に送出する。また、操作部１２の一部は、撮影に関係する各種スイッチであり、ズームキー、録画開始キー等により構成され、その操作の指示はシステム制御部１４に送出される。
【００１７】
電源スイッチ１５は、本体の電源モード（カメラ／切／ＶＴＲ）を選択するためのスイッチで、その状態をシステム制御部１４に送出する。
【００１８】
タッチパネル式ＬＣＤパネル９（以下、「本体パネル」と称する）は、映像を映し出すとともに、文字や記号による本体の各種情報の表示、メニュー設定時のガイド表示、印刷範囲枠表示、本体を操作するためのスイッチ類（操作アイコン）を表示する。スイッチ類は、ＶＴＲ系及び装置全体に関する各種スイッチ類（[↑],[→],[↓],[←],[SET],[END],[PRINT],[MENU],[PLAY],[FF/REW],[STOP],[START/STOP]等）により構成され、操作者が触れた位置を二次元座標として検出し、その指示をシステム制御部１４に送出する。この本体パネル９が、本発明でいうタッチパネル式の表示装置に相当するものである。
【００１９】
外部接続端子１１にＡＶケーブルが接続されていない場合、システム制御部１４は検出した二次元座標を絶対座標として認識し、絶対座標に位置する操作スイッチの情報に変換して動作する。それに対して、外部接続端子１１にＡＶケーブルが接続されている場合、検出した二次元座標を操作を開始した位置から操作を終了した位置までの移動量を相対座標に変換して認識し、ポインタ（カーソル）の移動データに変換して動作する。
【００２０】
ＬＣＤパネル制御部１７は、ＬＣＤバックライト１６の明るさを制御するとともに、本体パネル９をタッチパネルとして機能させる場合と、タッチパッドとして機能させる場合とで操作方法を切り替えるための制御を行う。
【００２１】
画像変換部１０は、システム制御部１４の指示により、再生系信号処理部７からの再生信号を、プリンタが認識できる画像ファイル（例えばＪＰＥＧ画像）に変換する。
【００２２】
外部接続端子１１は、外部モニタと接続して映像を出力するためのインターフェースとなる端子である。ケーブル接続検出回路１３は、外部接続端子１１にケーブルが接続されたことを検出するための回路であり、その検出情報はシステム制御部１４に送出される。このケーブル接続検出回路１３が、本発明でいう検出手段に相当するものである。
【００２３】
システム制御部１４は、上述した映像機器の各種機能を総合的に制御するマイクロコンピュータ等により構成される。
【００２４】
次に、外部接続端子１１へのＡＶケーブルの接続を検出した場合、本体パネルをタッチパッドとして機能させる動作について説明する。
【００２５】
図２は、本実施形態の映像機器における処理動作を示すフローチャートである。まず、外部接続端子１１へのＡＶケーブルの接続状態をチェックする（ステップＳ１０１）。これは、外部接続端子１１にＡＶケーブルが接続されたことがケーブル接続検出回路１３で検出されたかどうかを確認するためのものである。ＡＶケーブルが接続されていない場合、映像機器はタッチパネルモードで動作する（ステップＳ１０２）。それに対して、ＡＶケーブルが接続されている場合、映像機器はタッチパッドモードで動作する（ステップＳ１０３）。
【００２６】
図３は、映像機器がタッチパネルモードで動作する場合のフローチャートである。タッチパネルモードに入ると、タッチパネルの初期化を行う（ステップＳ２０１）。次に、タッチパネルに対して入力があるかどうかを確認し（ステップＳ２０２）、入力があるまで待機する。入力がある場合は、入力されたデータをＡ／Ｄ変換し（ステップＳ２０３）、座標データに変換するとともに（ステップＳ２０４）、変換した座標の位置にスイッチが存在するかどうかを確認する（ステップＳ２０５）。スイッチが存在しない場合、入力待機状態に戻る。スイッチが存在する場合、座標のデータをスイッチ情報に変換し（ステップＳ２０６）、スイッチの制御を行う（ステップＳ２０７）。タッチパネルモードが継続されているときは（ステップＳ２０８）、再び入力待機状態となる。このように、タッチパネルモードでは本体パネル９へ接触した位置を、画面上への入力位置として認識する。
【００２７】
ここでは、表示されたスイッチに触れる操作を説明したが、もちろんポインタ等を表示し、本体パネル９上でポインタに触れて画面上で移動させる等の他の操作を行ってもよい。この場合、本体パネル９上で指示された移動量（例えば指が動いた量）と表示されたポインタの表示位置の移動量は一致する。言い換えれば、本体パネル９上で指示された移動量（例えば指が動いた量）と本体パネル９での映像の表示範囲の大きさとの比率と、表示されたポインタの表示位置の移動量と本体パネル９での映像の表示範囲の大きさとの比率とが一致する。これが絶対座標による入力の特徴である。
【００２８】
図４は、映像機器がタッチパッドモードで動作する場合のフローチャートである。タッチパッドモードに入ると、タッチパッドの初期化を行う（ステップＳ３０１）。更に、面に表示するポインタの座標を初期化する（ステップＳ３０２）。このとき設定される座標は、表示可能な座標の範囲内に収まる範囲に設定する。次に、タッチパッドに対して入力があるかどうかを確認し（ステップＳ３０３）、入力があるまで待機する。入力がある場合は、入力されたデータをＡ／Ｄ変換し（ステップＳ３０４）、操作がダブルクリックであるかどうかを判定する（ステップＳ３０５）。
【００２９】
ダブルクリックでないと判定された場合、操作による変化量（ΔＸ，ΔＹ）を取得する（ステップＳ３０６）。そして、ポインタの座標に対する相対座標とみなして新たな座標（Ｘ＋ΔＸ，Ｙ＋ΔＹ）を設定し（ステップＳ３０７）、ポインタを移動する（ステップＳ３０８）。ポインタの移動後、新座標を現在の座標として置き換える（ステップＳ３０９）。一方、ダブルクリックと判定された場合、その時点におけるポインタの座標（Ｘ，Ｙ）を取得する（ステップＳ３１１）。そして、その座標の位置にスイッチが存在するかどうかを確認する（ステップＳ３１２）。スイッチが存在しない場合、入力待機状態に戻る。スイッチが存在する場合、座標のデータをスイッチ情報に変換し（ステップＳ３１３）、スイッチの制御を行う（ステップＳ３１４）。タッチパッドモードが継続されているときは（ステップＳ３１０）、再び入力待機状態となる。
【００３０】
なお、ここではポインタの座標に対する相対座標とみなして新たな座標（Ｘ＋ΔＸ，Ｙ＋ΔＹ）を設定したが、新たな座標を（Ｘ・ΔＸ，Ｙ・ΔＹ）に設定してもよい。このようにすれば、タッチパッドである本体パネルでの操作による変化量に対して、外部モニタ上のポインタの変化量が一定の割合で増減した量となる。どちらにしても、本体パネル９上で指示された移動量と、ポインタの表示位置の移動量とは、所定の関係は有していても、基本的には一致はしない。
【００３１】
また、このようなタッチパッドの入力では、本体パネル９上で指示された移動量と本体パネル９自体の大きさとの比率と、外部モニタ上に表示されたポインタの表示位置の移動量と外部モニタの表示範囲の大きさとの比率とが一致しない。これを図１１を用いて説明する。図１１は、本体パネル９への入力を外部モニタへの絶対位置の入力として認識した場合の例である。矩形１１０１は外部モニタの表示範囲大きさ、矩形１１０２は本体パネル９自体の大きさ、矢印１１０３は外部モニタ上に表示されたポインタの表示位置の移動量、矢印１１０４は本体パネル９上で指示された移動量を示している。図１１では、本体パネル９上で指示された移動量（１１０４）と本体パネル９自体の大きさ（１１０２）との割合と、外部モニタ上に表示されたポインタの表示位置の移動量（１１０３）と外部モニタの表示範囲大きさ（１１０１）との割合とが一致している。しかしこれに対し、本願発明のタッチパッドモードでの本体パネル９への入力は、相対座標として認識するため、図１１のような関係にはならない。
【００３２】
操作の具体例として、図５、図６に再生ズーム制御の例を示す。比較のため、図５には、ＡＶケーブル接続時にも本体パネル９をそのままタッチパネルとして機能させる場合の画面表示を示す。また、図６には、本実施形態の映像機器のようにＡＶケーブル接続時に本体パネル９をタッチパッドとして機能させる場合の画面表示を示す。
【００３３】
記録媒体に記録されている動画や静止画を再生するため、映像機器の本体パネル９に表示されているＰＬＡＹキーを操作すると、本体パネル９に再生画が表示される。再生画が表示されている状態で、操作部１２のズームキーを操作すると、映像機器は再生ズーム状態に入る。
【００３４】
外部モニタと接続する前は、本実施形態の映像装置はタッチパネルモードで動作し、本体パネル９の画面表示は図５（ａ）と同じものとなる。再生ズーム表示中に、拡大表示する場所を変えたい場合は、画面上の操作アイコン５０１に触れることによって、上下左右方向に表示位置を変えることができる。
【００３５】
次に、ＡＶケーブルを介して外部モニタと接続したとき、図５（ａ）、（ｂ）に示すように本体パネル９をそのままタッチパネルとして機能させる場合、本体パネル９及び外部モニタの両方に操作アイコン５０１が表示される。実際に操作するときは、本体パネル９に表示された操作アイコン５０１に触れることよって上下左右方向に移動する。このとき、外部モニタにも本体パネル９と同じ表示が行われるものの、本体パネル９上で操作しなければならず、外部モニタの表示を見て操作することはできない。
【００３６】
それに対して、ＡＶケーブルを介して外部モニタと接続したとき、本実施形態の映像装置はタッチパッドモードで動作する。図６（ａ）、（ｂ）に示すように本体パネル９をタッチパッドとして機能させる場合、本体パネル９はタッチパッドとして移動量を検出することに用いられるため何も表示されず、ＬＣＤパネル制御部１７は本体パネル９のＬＣＤバックライト１６を消灯する。操作はタッチパッド上の操作方向を検出することで行われるため、操作者は外部モニタを見ながら操作することができる。このようにタッチパッドして機能させるときは、本体パネル９に操作アイコンを表示する必要がなく、操作アイコンを小さく表示する等、画面表示を通常使用時と変えることができる。
【００３７】
別の操作の具体例として、図７、図８に動画や静止画のインデックス表示制御の例を示す。比較のため、図７には、ＡＶケーブル接続時にも本体パネル９をそのままタッチパネルとして機能させる場合の画面表示を示す。また、図８には、本実施形態の映像機器のようにＡＶケーブル接続時に本体パネル９をタッチパッドとして機能させる場合の画面表示を示す。
【００３８】
記録媒体に記録されている動画や静止画をインデックス表示するため、映像機器の本体パネル９に表示されているインデックス画面スイッチを操作する。
【００３９】
外部モニタと接続する前は、本実施形態の映像装置はタッチパネルモードで動作し、本体パネル９の画面表示は図７（ａ）と同じものとなる。画面表示されるＣ−１〜Ｃ−６はインデックス表示された再生画の情報（例えばサムネイル画像）である。また、１ページ内に表示しきれなかった情報については、ページ送り／戻しをするための操作アイコン７０１に触れることによって、画面表示を切り替えることができる。
【００４０】
次に、ＡＶケーブルを介して外部モニタと接続したとき、図７（ａ）、（ｂ）に示すように本体パネル９をそのままタッチパネルとして機能させる場合、本体パネル９及び外部モニタの両方に操作アイコン７０１が表示される。実際に操作するときは、本体パネル９に表示された操作アイコン７０１に触れることよって再生画を表示したり、別のページに移動したりする。また、インデックス表示された再生画の情報（例えばサムネイル画像）に触れることで触れたサムネイルの本体である静止画を全画面再生したり、触れたサムネイルの本体である動画を再生したりすることができる。このとき、外部モニタにも本体パネル９と同じ表示が行われるものの、本体パネル９上で操作しなければならず、外部モニタの表示を見て操作することはできない。
【００４１】
それに対して、ＡＶケーブルを介して外部モニタと接続したとき、本実施形態の映像装置はタッチパッドモードで動作する。図８（ａ）、（ｂ）に示すように本体パネル９をタッチパッドとして機能させる場合、本体パネル９はタッチパッドとして移動量を検出することに用いられるため何も表示されず、ＬＣＤパネル制御部１７は本体パネル９のＬＣＤバックライト１６を消灯する。操作者は外部モニタに表示されたポインタ表示８０１を見ながら操作することになる。あるいは、表示された再生画の情報（例えばサムネイル画像）に、現在選択中であることを示すフォーカス枠を表示し、操作者はタッチパッドである本体パネル９への入力によって、外部モニタに表示されたフォーカス枠を他のサムネイルに移動させる操作を行う。タッチパッドして機能させるときは、操作アイコンを表示する必要が無いことから、操作アイコンやインデックスを小さく表示することができるようになり、一画面内に表示する情報を増やすことができる。
【００４２】
なお、本実施形態では、図２のステップＳ１０１のように、外部接続端子１１へＡＶケーブルが接続されたか否かを判定してタッチパネルモードとタッチパッドモードを切り替える例を説明したが、この判定に限られるものではない。外部モニタを使用する状態か否かを判別するものであればよい。例えば無線回線を通じて外部モニタに接続して使用する場合にも、本願発明は適用可能である。この場合は例えば外部モニタとの無線接続が確立したか否かの判定を行い、無線接続が確立していなければタッチパネルモードで動作し、無線接続が確立していればタッチパッドモードで動作するようにすればよい。
【００４３】
また、パーソナルコンピュータ（以下、ＰＣ）等のコンピュータに接続し、ＰＣを介して外部モニタとしてのＰＣ用のディスプレイに接続する場合にも本願発明を適用できる。この場合は例えば、外部接続端子を介してまずＰＣに有線あるいは無線で接続し、更にＰＣと通信することによって、実際にＰＣに外部モニタが接続されているか否かを判別する。そして、外部接続端子１１へ接続されたＰＣに、実際に外部モニタが接続されていれば本体パネル９をタッチパッドモードで動作するようにし、そうでない場合は本体パネル９をタッチパネルモードで動作するようにすればよい。また、ＰＣと通信することによってＰＣが実際に外部モニタに接続されており、かつＰＣが外部モニタを使用するモードとなっているか否かを判定してもよい。そして、ＰＣが実際に外部モニタに接続されており、かつＰＣが外部モニタを使用するモードになっていれば本体パネル９をタッチパッドモードで動作するようにし、そうでない場合は本体パネル９をタッチパネルモードで動作するようにしてもよい。
【００４４】
また、外部モニタが接続されても本願発明を適用せず、本体パネル９に対する入力を絶対座標として認識すると、以下のような問題が生じる。まず、図１１で説明したように本体パネル９上で指示された移動量と本体パネル９自体の大きさとの比率と、外部モニタ上に表示されたポインタの表示位置の移動量と外部モニタの表示範囲大きさとの比率とを一致させねばない。更に、ユーザに入力位置を識別させるために本体パネルにも外部モニタと同じ映像を表示させるのが好ましい。そのため、外部モニタの表示範囲は、本体パネル９の形状と相似の関係にしなければならず、本体パネル９と外部モニタの形状が異なっていた場合にも外部モニタの形状に適した表示を行えない。
【００４５】
これに対し本願発明を適用した場合は、外部モニタが接続されると本体パネル９は入力を相対座標で認識するタッチパッドとして動作するので、外部モニタの表示範囲を本体パネルの形状と相似の関係にする必要がなく、本体パネル９に映像を表示する必要もない。そのため、タッチパネルモードで本体パネルに表示していた映像と、タッチパッドモードで外部モニタに表示させる映像の表示内容が必ずしも一致している必要はなく、タッチパッドモードでは外部モニタの形状に合わせて映像を変換して出力することが可能である。
【００４６】
例えば、上述のようなインデックス表示を行う際、本体パネル９がアスペクト比４：３のパネルで、外部モニタがアスペクト比１６：９のモニタであったとする。この場合、タッチパネルモードでは動画や静止画のサムネイルを３×３の配列で９個表示する。一方、外部モニタが接続され、通信した結果、外部モニタが１６：９であると判定できると、タッチパッドモードにおいて動画や静止画のサムネイルを４×３の配列で１２個表示する映像を外部モニタへ出力することが可能である。このように本体パネル９と外部モニタの表示範囲の形状あるいは表示形態が異なっていても、タッチパッドモードでは本体パネル９への入力を相対座標で認識するため、操作上問題となることはない。
【００４７】
（第２の実施形態）
第２の実施形態は、本体パネル９のタッチパネルとタッチパッドとの切り替えは、その切り替えを許可する設定がなされているときだけ行うようにした例である。なお、映像機器の構成は上記第１の実施形態で説明したものと同様であり、ここではその説明を省略する。
【００４８】
図９は、本実施形態の映像機器における処理動作を示すフローチャートである。まず、外部接続端子１１へのＡＶケーブルの接続状態をチェックする（ステップＳ４０１）。これは、外部接続端子１１にＡＶケーブルが接続されたことがケーブル接続検出回路１３で検出されたかどうかを確認するためのものである。ＡＶケーブルが接続されていない場合、映像機器はタッチパネルモードで動作する（ステップＳ４０３）。それに対して、ＡＶケーブルが接続されている場合、タッチパッドモードへの切り替え許可が設定されているかどうかを確認する（ステップＳ４０２）。その結果、許可されている場合はタッチパッドモードで動作し（ステップＳ４０４）、許可されていない場合はタッチパネルモードで動作する（ステップＳ４０３）。なお、タッチパネルモード及びタッチパッドでの動作は図３、４で説明したとおりであり、ここではその説明を省略する。
【００４９】
図１０は、ＡＶケーブル接続時にタッチパッドモードへの切り替えを許可するかどうかを設定するためのメニュー画面の例である。このメニュー画面において予めタッチパッドモードへの切り替えが許可されている場合は、ステップＳＳ４０２からステップＳ４０４に遷移してタッチパッドモードに切り替わる。それに対して、切り替えが禁止されている場合は、ステップＳ４０２からステップＳ４０３に遷移してタッチパネルモードのままとなる。
【００５０】
操作の具体例は、図５、図６で説明した再生ズーム制御の例、図７、図８で説明した動画や静止画のインデックス表示制御の例と同様であり、ここでは説明を省略する。
【００５１】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５２】
この場合、記憶媒体から読み出されたプログラムコード自体が上述した実施形態の機能を実現することになり、プログラムコード自体及びそのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５４】
また、コンピュータが読み出したプログラムコードを実行することにより、上述した実施形態の機能が実現されるだけに限らない。例えば、そのプログラムコードの指示に基づき、コンピュータ上で稼動しているＯＳ（オペレーティングシステム）等が実際の処理の一部又は全部を行い、その処理によって上述した実施形態の機能が実現されてもよい。
【００５５】
更に、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【００５６】
以上説明したように本発明によれば、映像機器をケーブルを介して外部モニタに接続したときに、タッチパネル式の表示装置をタッチパッドとして機能させることにより、以下に示す効果が得られる。
第一に、タッチパネル式の表示装置をタッチパッドとして機能させるときには、表示装置に操作アイコンを表示しなくてもよくなるので、操作アイコンの大きさや配置を優先した画面構成にする必要がなくなることである。これにより、画面構成の制限が緩和され、操作アイコン以外の表示領域を確保しやすくなる。
第二に、細かい操作をしやすくなることである。タッチパッドでは、相対座標とクリックによる操作を行うため、上下左右方向への一定距離の移動や、画面の切り替えのような機械的な操作だけではなく、微調整を行いたい場合や、状況に応じて移動量や移動速度を変化させた操作を行いたい場合等に、直感的な操作が可能となる。
第三に、映像機器を外部モニタに接続した状態では、外部モニタのポインタ表示を見ながらタッチパッドを操作すれば良いので、操作の煩雑さが緩和される。
【図面の簡単な説明】
【００５７】
【図１】本発明を適用した実施形態に係る映像機器の構成例を示すブロック図である。
【図２】第１の実施形態の映像機器における処理動作を示すフローチャートである。
【図３】映像機器がタッチパネルモードで動作する場合のフローチャートである。
【図４】映像機器がタッチパッドモードで動作する場合のフローチャートである。
【図５】再生ズーム制御の例を説明する図であり、ＡＶケーブル接続時にタッチパネル式ＬＣＤパネルをそのままタッチパネルとして機能させる場合の画面表示を示す図である。
【図６】再生ズーム制御の例を説明する図であり、ＡＶケーブル接続時にタッチパネル式ＬＣＤパネルをタッチパッドとして機能させる場合の画面表示を示す図である。
【図７】インデックス表示制御の例を説明する図であり、ＡＶケーブル接続時にタッチパネル式ＬＣＤパネルをそのままタッチパネルとして機能させる場合の画面表示を示す図である。
【図８】インデックス表示制御の例を説明する図であり、ＡＶケーブル接続時にタッチパネル式ＬＣＤパネルをタッチパッドとして機能させる場合の画面表示を示す図である。
【図９】第２の実施形態の映像機器における処理動作を示すフローチャートである。
【図１０】タッチパッドモードへの切り替えを許可するかどうかを設定するためのメニュー画面の例を示す図である。
【図１１】本体パネルへの入力を外部モニタへの絶対位置の入力として認識した場合を説明する図である。
【符号の説明】
【００５８】
１    撮像部
２    カメラ信号処理部
３    カメラ系制御部
４    ＶＴＲブロック
５    信号処理部
６    記録系信号処理部
７    再生系信号処理部
８    スピーカ
９    タッチパネル式ＬＣＤパネル
１０  画像変換部
１１  外部接続端子
１２  操作部
１３  ケーブル接続検出回路
１４  システム制御部
１５  電源スイッチ
１６  ＬＣＤバックライト
１７  ＬＣＤパネル制御部
【図１】
2009140471.tif 000003
【図２】
2009140471.tif 000004
【図３】
2009140471.tif 000005
【図４】
2009140471.tif 000006
【図５】
2009140471.tif 000007
【図６】
2009140471.tif 000008
【図７】
2009140471.tif 000009
【図８】
2009140471.tif 000010
【図９】
2009140471.tif 000011
【図１０】
2009140471.tif 000012
【図１１】
2009140471.tif 000013